(57)【要約】【課題】コンタクトによる電線の保持力をより向上させることが可能なコネクタおよび当該コネクタに電線を挿入するための治具を得る。【解決手段】コネクタ１は、被接続部材１１０に接続されるとともに電線１００の導体１０２が接触することで、被接続部材１１０と導体１０２とが電気的に接続されるコンタクト２を備えている。このコンタクト２は、電線１００における被覆体１０１から露出した部位を電線１００が延在する電線延在方向と交差する交差方向に相対移動させることで、導体１０２が接触する導体接触部４を備えている。さらに、コンタクト２は、電線１００における導体１０２が被覆体１０１で覆われた部位を交差方向に相対移動させることで、被覆体１０１を保持する被覆体保持部５と、を備えている。【選択図】図１
2020013749.tif 000002
【特許請求の範囲】
【請求項１】
被接続部材に接続されるとともに電線の導体が接触することで、前記被接続部材と前記導体とが電気的に接続されるコンタクトを備え、
前記コンタクトは、
前記電線における被覆体から露出した部位を前記電線が延在する電線延在方向と交差する交差方向に相対移動させることで、前記導体が接触する導体接触部と、
前記電線における前記導体が前記被覆体で覆われた部位を前記交差方向に相対移動させることで、前記被覆体を保持する被覆体保持部と、
を備えることを特徴とするコネクタ。
【請求項２】
前記導体接触部は、前記交差方向の一方側に開口する開口部を有する導体挿入空間と、前記導体挿入空間を挟んで対向する接触部側対向壁と、を備えており、
前記接触部側対向壁は、前記導体接触部に保持された前記導体の抜けを抑制する接触部側抜け止め部を備えることを特徴とする請求項１に記載のコネクタ。
【請求項３】
前記接触部側対向壁は、前記接触部側抜け止め部よりも前記導体挿入空間の奥側に位置して前記導体を圧接する導体圧接部を備えることを特徴とする請求項２に記載のコネクタ。
【請求項４】
前記接触部側対向壁は、前記接触部側抜け止め部よりも前記導体挿入空間の開口側に位置し、前記導体を前記導体挿入空間に誘い込む接触部側誘い込み部を備えることを特徴とする請求項２または請求項３に記載のコネクタ。
【請求項５】
前記接触部側対向壁は、前記電線延在方向および前記交差方向と交差する方向に弾性変形可能な接触部側係止片を有することを特徴とする請求項２〜４のうちいずれか１項に記載のコネクタ。
【請求項６】
前記導体は、治具を用いて前記導体挿入空間に挿入されるものであり、
前記接触部側対向壁には、位置ずれした前記治具を正規の位置に戻すガイド部が形成されていることを特徴とする請求項２〜５のうちいずれか１項に記載のコネクタ。
【請求項７】
前記被覆体保持部は、前記交差方向の一方側に開口する開口部を有する被覆体挿入空間と、前記被覆体挿入空間を挟んで対向する保持部側対向壁と、を備えており、
前記保持部側対向壁は、前記被覆体保持部に保持された前記被覆体の抜けを抑制する保持部側抜け止め部を備えることを特徴とする請求項１〜６のうちいずれか１項に記載のコネクタ。
【請求項８】
前記保持部側対向壁は、前記保持部側抜け止め部よりも前記被覆体挿入空間の奥側に位置して前記被覆体を圧入する被覆体圧入部を備えることを特徴とする請求項７に記載のコネクタ。
【請求項９】
前記保持部側対向壁は、前記保持部側抜け止め部よりも前記被覆体挿入空間の開口側に位置し、前記被覆体を前記被覆体挿入空間に誘い込む保持部側誘い込み部を備えることを特徴とする請求項７または請求項８に記載のコネクタ。
【請求項１０】
前記保持部側対向壁は、前記電線延在方向および前記交差方向と交差する方向に弾性変形可能な保持部側係止片を有することを特徴とする請求項７〜９のうちいずれか１項に記載のコネクタ。
【請求項１１】
前記保持部側対向壁は、前記被接続部材に固定される保持部側固定壁を有することを特徴とする請求項７〜１０のうちいずれか１項に記載のコネクタ。
【請求項１２】
前記被覆体は、治具を用いて前記被覆体挿入空間に挿入されるものであり、
前記保持部側対向壁には、位置ずれした前記治具を正規の位置に戻すガイド部が形成されていることを特徴とする請求項７〜１１のうちいずれか１項に記載のコネクタ。
【請求項１３】
前記コンタクトは、前記保持部側対向壁が連設されて前記被接続部材上に載置される底壁を備えていることを特徴とする請求項７〜１２のうちいずれか１項に記載のコネクタ。
【請求項１４】
前記コンタクトは、前記被接続部材上に載置される底壁と、前記底壁に連設された側壁と、を備えていることを特徴とする請求項７〜１２のうちいずれか１項に記載のコネクタ。
【請求項１５】
前記接触部側対向壁が前記側壁に連設されていることを特徴とする請求項１４に記載のコネクタ。
【請求項１６】
前記保持部側対向壁が前記側壁に連設されていることを特徴とする請求項１４または請求項１５に記載のコネクタ。
【請求項１７】
前記底壁の前記被接続部材と対向する面が前記被接続部材に実装される実装面となっていることを特徴とする請求項１３〜１６のうちいずれか１項に記載のコネクタ。
【請求項１８】
前記コンタクトは、前記交差方向に沿って視た状態で、前記導体接触部および前記被覆体保持部のうち少なくともいずれか一方の周辺に配置される保護部を備えることを特徴とする請求項１〜１７のうちいずれか１項に記載のコネクタ。
【請求項１９】
前記電線は、治具を用いて前記コンタクトに挿入されるものであり、
前記保護部には、位置ずれした前記治具を正規の位置に戻すガイド部が形成されていることを特徴とする請求項１８に記載のコネクタ。
【請求項２０】
請求項１〜１９のうちいずれか１項に記載のコンタクトに前記電線を挿入する際に用いられる治具であって、
前記電線の前記導体を保持する第１電線保持部と、前記電線の前記被覆体を保持する第２電線保持部と、を有し、前記第１電線保持部および前記第２電線保持部に保持された前記電線を前記コンタクトに挿入する際に作業者の指で押圧することが可能な押圧部を備えることを特徴とする治具。
【発明の詳細な説明】
【技術分野】
【０００１】
本開示は、コネクタおよび当該コネクタに電線を挿入するための治具に関する。
【背景技術】
【０００２】
従来、コネクタとして、基板に接続されるとともに電線の導体が接触することで、基板と電線とを電気的に接続するコンタクトを備えるものが知られている（例えば、特許文献１参照）。
【先行技術文献】
【特許文献】
【０００３】
【特許文献１】ＷＯ２０１４／０９７５２１号公報
【発明の概要】
【発明が解決しようとする課題】
【０００４】
上記従来の技術では、電線の被覆体で覆われていない部位、すなわち、被覆体から露出させた導体を、コンタクトに形成された電線挿入空間に挿入することで、導体をコンタクトに接触させている。
【０００５】
このような上記従来の技術でも、電線をコンタクトに保持させることが可能であるが、コンタクトによる電線の保持力をより高めるようにするのが好ましい。
【０００６】
そこで、本開示は、コンタクトによる電線の保持力をより向上させることが可能なコネクタおよび当該コネクタに電線を挿入するための治具を得ることを目的とする。
【課題を解決するための手段】
【０００７】
本開示にかかるコネクタは、被接続部材に接続されるとともに電線の導体が接触することで、前記被接続部材と前記導体とが電気的に接続されるコンタクトを備えている。そして、前記コンタクトが、前記電線における被覆体から露出した部位を前記電線が延在する電線延在方向と交差する交差方向に相対移動させることで、前記導体が接触する導体接触部を備えている。さらに、前記コンタクトが、前記電線における前記導体が前記被覆体で覆われた部位を前記交差方向に相対移動させることで、前記被覆体を保持する被覆体保持部を備えている。
【０００８】
また、本開示にかかる治具は、前記コンタクトに前記電線を挿入する際に用いられるものである。そして、前記治具は、前記電線の前記導体を保持する第１電線保持部と、前記電線の前記被覆体を保持する第２電線保持部と、を有し、前記第１電線保持部および前記第２電線保持部に保持された前記電線を前記コンタクトに挿入する際に作業者の指で押圧することが可能な押圧部を備えている。
【発明の効果】
【０００９】
本開示によれば、コンタクトによる電線の保持力をより向上させることが可能なコネクタおよび当該コネクタに電線を挿入するための治具を得ることができる。
【図面の簡単な説明】
【００１０】
【図１】コネクタの一使用例を示す図であって、コネクタと、コネクタに保持される電線と、コネクタが実装される回路基板と、を分解して示す斜視図である。
【図２】コネクタの一例を示す図であって、（ａ）は、斜視図、（ｂ）は、平面図、（ｃ）は、裏面図である。
【図３】コネクタの一例を示す図であって、（ａ）は、正面図、（ｂ）は、背面図、（ｃ）は、一側から視た側面図、（ｄ）は、他側から視た側面図である。
【図４】コンタクト上に電線を載置して挿入した状態を示す図であって、（ａ）は、正面図、（ｂ）は、背面図である。
【図５】コンタクト上に電線を載置した状態を示す図であって、（ａ）は、斜視図、（ｂ）は、側面図である。
【図６】電線をコネクタに挿入保持する方法の一例を示す斜視図である。
【図７】電線をコネクタに挿入保持する方法の一例を示す側面図である。
【図８】電線をコネクタに挿入保持する方法の他の例を示す斜視図である。
【図９】電線をコネクタに挿入保持する際に用いられる治具の変形例を示す図であって、（ａ）は、押圧部を裏側から視た斜視図、（ｂ）は、押圧部を示す裏面図である。
【図１０】図９に示す治具を用いて電線をコネクタに挿入保持する方法の一例を示す図であって、（ａ）は、コンタクト上に電線を載置した状態を示す側面図、（ｂ）は、コンタクトに電線を挿入した状態を示す側面図である。
【図１１】一例として示したコネクタに保持される電線の変形例を示す図であって、（ａ）は、変形例の一例を示す斜視図、（ｃ）は、他の変形例を示す斜視図である。
【図１２】コネクタの第１変形例を示す図であって、（ａ）は、斜視図、（ｂ）は、平面図である。
【図１３】コネクタの第２変形例を示す図であって、（ａ）は、斜視図、（ｂ）は、平面図である。
【図１４】コネクタの第３変形例を示す図であって、（ａ）は、斜視図、（ｂ）は、平面図である。
【図１５】コネクタの第４変形例を示す図であって、（ａ）は、斜視図、（ｂ）は、平面図である。
【図１６】コネクタの第５変形例を示す図であって、（ａ）は、斜視図、（ｂ）は、平面図である。
【図１７】コネクタの第６変形例を示す図であって、（ａ）は、斜視図、（ｂ）は、平面図である。
【図１８】コネクタの第７変形例を示す図であって、（ａ）は、斜視図、（ｂ）は、平面図である。
【図１９】コネクタの第８変形例を示す図であって、（ａ）は、斜視図、（ｂ）は、平面図である。
【図２０】コネクタの第９変形例を示す図であって、（ａ）は、斜視図、（ｂ）は、平面図である。
【図２１】コネクタの第１０変形例を示す図であって、（ａ）は、斜視図、（ｂ）は、平面図である。
【図２２】コネクタの第１１変形例を示す図であって、（ａ）は、斜視図、（ｂ）は、平面図、（ｃ）は、裏面図である。
【図２３】コネクタの第１１変形例を示す図であって、（ａ）は、正面図、（ｂ）は、背面図、（ｃ）は、一側から視た側面図、（ｄ）は、他側から視た側面図である。
【図２４】コネクタの第１２変形例を示す図であって、（ａ）は、斜視図、（ｂ）は、平面図である。
【図２５】コネクタの第１３変形例を示す図であって、（ａ）は、斜視図、（ｂ）は、平面図、（ｃ）は、裏面図である。
【図２６】コネクタの第１４変形例を示す図であって、（ａ）は、斜視図、（ｂ）は、平面図である。
【図２７】コネクタの第１５変形例を示す図であって、（ａ）は、斜視図、（ｂ）は、平面図である。
【図２８】コネクタの第１６変形例を示す図であって、（ａ）は、斜視図、（ｂ）は、平面図である。
【発明を実施するための形態】
【００１１】
以下、本開示の実施形態について図面を参照しながら詳細に説明する。なお、以下では、電線をコンタクトに挿入する際に電線が延在する方向（電線延在方向）をＸ方向、電線をコンタクトに挿入する際に電線がコンタクトに対して相対移動する方向（電線延在方向と交差する交差方向）をＺ方向として説明する。また、コンタクトの幅方向（電線延在方向および交差方向と交差する方向）をＹ方向として説明する。また、コンタクトに対して下方に相対移動させることで、電線をコンタクトに挿入させるようにした場合のＺ方向を、上下方向と規定して説明する。
【００１２】
また、以下の実施形態およびその変形例には、同様の構成要素が含まれている。よって、以下では、それら同様の構成要素には共通の符号を付与するとともに、重複する説明を省略する。
【００１３】
本実施形態にかかるコネクタ１は、図１〜図３に示すように、導電性を有する材料で形成されたコンタクト２を備えている。このコンタクト２は、図１に示すように、回路基板（被接続部材）１１０に実装（接続）されるものである。さらに、コンタクト２は、電線１００をコンタクト２に対してＺ方向の他方側（下側）に相対移動させることで、当該電線１００が挿入されて、電線１００の導体１０２をコンタクト２に接触させるものである。すなわち、コネクタ１は、コンタクト２を回路基板１１０に実装させつつ、電線１００の導体１０２をコンタクト２に接触させることで、回路基板１１０と導体１０２とを電気的に接続するものである。
【００１４】
電線１００は、図１に示すように、細長い円柱状をしており、導電性を有する導体１０２を、絶縁性を有する被覆体１０１によって覆うことで形成されている。この電線１００の導体１０２は、例えば、１本の銅線（φ０．５）から成る単線（単芯線）で構成することができる。
【００１５】
なお、図１１（ａ）や図１１（ｂ）に示すような電線１００を用いることも可能である。図１１（ａ）や図１１（ｂ）に示す電線１００では、導体１０２が撚り線で構成されている。
【００１６】
図１１（ａ）には、７本の細い銅線（φ０．２）をストレート状に並設することで形成された導体１０２を被覆体１０１により覆うことで形成されたストレートタイプの電線１００を例示している。一方、図１１（ｂ）には、７本の細い銅線（φ０．２）が螺旋状に巻かれたクロスタイプの電線１００を例示している。
【００１７】
このように、撚り線を用いて導体１０２を形成すると、単線を用いた場合と比べて電線１００に柔軟性を持たせることができ、配線の取り回しが容易になるという利点がある。
【００１８】
コンタクト２は、１枚の板状の金属板を金属加工（プレス加工）することにより形成されており、Ｘ方向に細長い略矩形状の底壁３を備えている。なお、底壁３の形状は、様々な形状とすることができ、平面視で多角形となるように形成されていてもよいし、円形となるように形成されていてもよい。
【００１９】
この底壁３は、回路基板１１０上に載置されるものであり、コンタクト２を回路基板１１０に実装させる実装部として機能させることができる。すなわち、底壁３の裏面（回路基板１１０と対向する面）３ｂを回路基板１１０に実装される実装面として機能させることができる。このように、底壁３の裏面３ｂを実装面とすることで、回路基板上の配置位置を比較的自由に設定することができる上、実装用のリードが不要になるという利点がある。
【００２０】
さらに、本実施形態では、図２に示すように、底壁３のＸ方向の先端にＹ方向の外側に突出する実装片３１が形成されている。そして、このような実装片３１を底壁３に設けることで、回路基板１１０に実装したコンタクト２が倒れてしまうことをより確実に抑制できるようにしている。
【００２１】
また、底壁３は、平板状に形成されており、底壁３の表面（上面）３ａ側が電線１００のコンタクト２に対するＺ方向下側への移動を規制する移動規制部となっている。
【００２２】
このように、コンタクト２に移動規制部を設けるようにすれば、電線１００がコンタクト２に対してＺ方向へ相対移動し過ぎて、電線１００と導体１０２との接触が外れてしまうのを抑制するための部材を新たに設ける必要がなくなる。すなわち、電線１００を挿入し過ぎることによるコンタクト２からの外れ防止をコンタクト２のみで行うことができるようになる。
【００２３】
ここで、本実施形態では、コンタクト２による電線１００の保持力をより向上させることができるようにしている。
【００２４】
具体的には、電線１００の先端側の導体１０２を露出させた状態でコンタクト２に挿入されるようにしている。そして、コンタクト２が、電線１００における導体１０２が被覆体１０１から露出した部位をＺ方向に相対移動させることで、導体１０２が接触する導体接触部４を備えるようにしている。さらに、コンタクト２が、電線１００における導体１０２が被覆体１０１で覆われた部位をＺ方向に相対移動させることで、被覆体１０１を保持する被覆体保持部５を備えるようにしている。
【００２５】
このように、本実施形態では、一部（先端側）の導体１０２を被覆体１０１から露出させた電線１００を、Ｚ方向に相対移動させることで、電線１００がコンタクト２に保持されるようにしている。すなわち、電線１００をＺ方向に相対移動させることで、露出した導体１０２を導体接触部４に接触させつつ、根元側に位置する被覆体１０１が被覆体保持部５に保持されるようにしている。
【００２６】
導体接触部４は、上方（Ｚ方向、すなわち、交差方向の一方側）に開口する開口部４２ａを有するスリット（導体挿入空間）４２を備えている。また、導体接触部４は、スリット４２を挟んでＹ方向に対向する一対の接触部側対向壁４１，４１を備えている。
【００２７】
本実施形態では、接触部側対向壁４１は、底壁３のＹ方向の端縁に連設された側壁６に連設されている。具体的には、底壁３のＹ方向の両端には、第１側壁６１が上方に立ち上がるようにそれぞれ連設されており、この第１側壁６１のＸ方向の一方側に接触部側対向壁４１が連設されている。さらに、本実施形態では、一対の接触部側対向壁４１，４１は、平面視で、先端側がＹ方向の内側に位置するように形成されている。このような接触部側対向壁４１は、例えば、底壁３のＹ方向の端縁に連設された第１側壁６１のＸ方向の一方側を先端がＹ方向の内側を向くように屈曲させることで形成することができる。なお、本実施形態では、接触部側対向壁４１は、平面視における第１側壁６１とのなす角が鈍角となるように形成されている（図２（ｂ）参照）。
【００２８】
さらに、本実施形態では、一対の接触部側対向壁４１，４１は、第１側壁６１のＸ方向の一方側に、それぞれＹ方向に弾性変形可能に連設されている。このように、本実施形態では、一対の接触部側対向壁４１，４１が、Ｙ方向（電線延在方向および交差方向と交差する方向）に弾性変形可能な接触部側係止片となっている。こうすれば、平面視で斜めに延在する一対の接触部側係止片で電線１００が挟持されるため、電線１００がＸ方向に移動（位置ずれ）してしまうことを、より確実に抑制できるようになる。
【００２９】
また、一対の接触部側対向壁４１，４１の先端は、Ｙ方向に離間した状態で互いに対向しており、この一対の接触部側対向壁４１，４１の先端の間に形成された空間が、上方に開口部４２ａが形成されたスリット４２となっている。
【００３０】
さらに、本実施形態では、一対の接触部側対向壁４１，４１の上部（スリット４２の開口側）に、導体１０２をスリット４２内に誘い込む接触部側誘い込み部４１２が形成されている。具体的には、一対の接触部側対向壁４１，４１の上端を、先端に向かう程高さが低くなるように傾斜させることで、接触部側誘い込み部４１２を形成している。
【００３１】
また、接触部側対向壁４１における接触部側誘い込み部４１２よりもスリット４２の奥側（下側）には、接触部側抜け止め部４１３が形成されている。そして、このような接触部側抜け止め部４１３を形成することで、接触部側誘い込み部４１２によってスリット４２内に誘い込まれた電線１００の導体１０２が上方へ移動してコンタクト２（導体接触部４）から抜け出てしまうことを抑制できるようにしている。この接触部側抜け止め部４１３は、例えば、上下方向（Ｚ方向）に延在する接触部側対向壁４１の先端の一部を、上下方向（Ｚ方向）と交差する方向に突出させることで形成することができる。
【００３２】
このように、本実施形態では、接触部側対向壁４１は、導体接触部４に保持された導体１０２の抜けを抑制する接触部側抜け止め部４１３を備えている。こうすることで、接触部側対向壁４１にカシメ加工等の処理を施すことなく（接触部側対向壁４１を塑性変形させることなく）導体１０２の抜けを抑制することができるようにしている。
【００３３】
さらに、本実施形態では、接触部側抜け止め部４１３よりも奥側（下側）のスリット４２の幅（Ｙ方向の幅）が略一定となっており、電線１００の導体１０２の直径よりも幅狭になっている。なお、導体１０２が撚り線で構成されている場合、スリット４２の接触部側抜け止め部４１３よりも奥側（下側）の幅は、束ねた撚り線全体の直径よりも狭くなっていればよい。
【００３４】
そして、スリット４２の接触部側抜け止め部４１３よりも奥側の幅を、電線１００の導体１０２の直径よりも小さくすることで、電線１００を接触部側抜け止め部４１３よりも下方に挿入した際に、導体１０２が一対の接触部側対向壁４１，４１によって圧接されるようにしている。
【００３５】
すなわち、一対の接触部側対向壁４１，４１における接触部側抜け止め部４１３よりもスリット４２の奥側には、電線１００の導体１０２を圧接する導体圧接部４１１が形成されている。
【００３６】
このように、本実施形態では、接触部側対向壁４１は、導体接触部４に保持された導体１０２の抜けを抑制する接触部側抜け止め部４１３を備えている。また、接触部側対向壁４１は、接触部側抜け止め部４１３よりもスリット４２の開口側に位置し、導体１０２をスリット４２に誘い込む接触部側誘い込み部４１２を備えている。また、接触部側対向壁４１は、接触部側抜け止め部４１３よりもスリット４２の奥側に位置して導体１０２を圧接する導体圧接部４１１を備えている。
【００３７】
一方、被覆体保持部５は、導体接触部４よりもＸ方向の他方側に形成されており、Ｚ方向の上方（交差方向の一方側）に開口する開口部５２ａを有するスリット（被覆体挿入空間）５２を備えている。また、被覆体保持部５は、スリット５２を挟んでＹ方向に対向する一対の保持部側対向壁５１，５１を備えている。
【００３８】
本実施形態では、スリット５２は、上下方向（Ｚ方向）に貫通するように形成されており、このスリット５２の上下方向の上方に、電線１００の被覆体１０１が挿入される開口部５２ａが形成されている。
【００３９】
また、本実施形態では、一対の保持部側対向壁５１,５１のうちの一方の保持部側対向壁５１が、底壁３のＹ方向の端縁に連設された側壁６に連設されている。具体的には、底壁３のＹ方向の一方側の端縁に、第２側壁６２が上方に立ち上がるように連設されており、この第２側壁６２のＸ方向の他方側に、一方の保持部側対向壁５１が連設されている。さらに、本実施形態では、一方の保持部側対向壁５１は、平面視で、先端側がＹ方向の内側に位置するように形成されている。このような保持部側対向壁５１は、例えば、底壁３のＹ方向の端縁に連設された第２側壁６２のＸ方向の他方側を先端がＹ方向の内側を向くように屈曲させることで形成することができる。なお、本実施形態では、一方の保持部側対向壁５１は、平面視における第２側壁６２とのなす角が鈍角となるように形成されている（図２（ｂ）参照）。
【００４０】
さらに、本実施形態では、一方の保持部側対向壁５１は、第２側壁６２のＸ方向の他方側に、Ｙ方向に弾性変形可能に連設されている。このように、本実施形態では、一方の保持部側対向壁５１が、Ｙ方向（電線延在方向および交差方向と交差する方向）に弾性変形可能な保持部側係止片となっている。
【００４１】
また、一対の保持部側対向壁５１,５１のうちの他方の保持部側対向壁５１は、底壁３のＸ方向の端縁に、上方に立ち上がるように連設された縦壁７によって形成されている。さらに、本実施形態では、縦壁７のＹ方向の外側の端縁に、Ｘ方向の内側に延在する延設壁８が連設されている。
【００４２】
そして、延設壁８の下部には、下方に突出する実装片８ａが形成されている。この実装片８ａは、下端面が底壁３の裏面３ｂと略面一となるように形成されており、コンタクト２を回路基板１１０上に載置した際に、下端面および裏面３ｂが回路基板１１０の表面に接触するようにしている。こうすることで、延設壁８の先端（下端面）が回路基板１１０に実装されるようにしている。
【００４３】
このように、本実施形態では、他方の保持部側対向壁５１となる縦壁７が、延設壁８を介して回路基板１１０に固定（実装）されている。すなわち、他方の保持部側対向壁５１は、回路基板１１０に固定される保持部側固定壁となっている。
【００４４】
また、本実施形態では、Ｙ方向に延在する縦壁７とＸ方向に延在する延設壁８とで、平面視で屈曲部を有する壁部を形成することで、Ｙ方向に延在する縦壁７がＸ方向に倒れ込んでしまうことを抑制することができるようにしている。すなわち、縦壁７に加えられた力によって縦壁７が塑性変形してしまうことを抑制できるようにしている。
【００４５】
そして、一対の保持部側対向壁５１，５１の先端は、Ｙ方向に離間した状態で互いに対向しており、この一対の保持部側対向壁５１，５１の先端の間に形成された空間が、上方に開口部５２ａが形成されたスリット５２となっている。
【００４６】
さらに、本実施形態では、一対の保持部側対向壁５１，５１の上部（スリット５２の開口側）に、被覆体１０１をスリット５２内に誘い込む保持部側誘い込み部５１２が形成されている。具体的には、一対の保持部側対向壁５１，５１の上端を、先端に向かう程高さが低くなるように傾斜させることで、保持部側誘い込み部５１２を形成している。なお、本実施形態では、縦壁７の上部に形成されたテーパ部７ｂが、他方の保持部側対向壁５１の保持部側誘い込み部５１２となっている。
【００４７】
また、保持部側対向壁５１における保持部側誘い込み部５１２よりもスリット５２の奥側（下側）には、保持部側抜け止め部５１３が形成されている。そして、このような保持部側抜け止め部５１３を形成することで、保持部側誘い込み部５１２によってスリット５２内に誘い込まれた電線１００の被覆体１０１が上方へ移動してコンタクト２（被覆体保持部５）から抜け出てしまうことを抑制できるようにしている。この保持部側抜け止め部５１３は、例えば、上下方向（Ｚ方向）に延在する保持部側対向壁５１の先端の一部を、上下方向（Ｚ方向）と交差する方向に突出させることで形成することができる。なお、本実施形態では、縦壁７の上部に形成された突部の下面７ｃが、他方の保持部側対向壁５１の保持部側抜け止め部５１３となっている。
【００４８】
このように、本実施形態では、保持部側対向壁５１は、被覆体保持部５に保持された被覆体１０１の抜けを抑制する保持部側抜け止め部５１３を備えている。こうすることで、保持部側対向壁５１にカシメ加工等の処理を施すことなく（保持部側対向壁５１を塑性変形させることなく）被覆体１０１の抜けを抑制することができるようにしている。
【００４９】
また、本実施形態では、スリット５２は、導体１０２よりも径の大きい被覆体１０１を導入させやすいように、スリット４２における導体圧接部４１１のＹ方向の幅よりも幅広となるように形成されている。さらに、スリット５２は、Ｙ方向の幅が被覆体１０１の直径よりも小さくなるように形成されており、電線１００の被覆体１０１が、圧入状態でスリット５２内に挿入されるようにしている。
【００５０】
すなわち、一対の保持部側対向壁５１，５１における保持部側抜け止め部５１３よりもスリット５２の奥側には、電線１００の被覆体１０１を圧入する被覆体圧入部５１１が形成されている。
【００５１】
このように、本実施形態では、保持部側対向壁５１は、被覆体保持部５に保持された被覆体１０１の抜けを抑制する保持部側抜け止め部５１３を備えている。また、保持部側対向壁５１は、保持部側抜け止め部５１３よりもスリット５２の開口側に位置し、被覆体１０１をスリット５２に誘い込む保持部側誘い込み部５１２を備えている。また、保持部側対向壁５１は、保持部側抜け止め部５１３よりもスリット５２の奥側に位置して被覆体１０１を圧入する被覆体圧入部５１１を備えている。
【００５２】
また、本実施形態では、保持部側誘い込み部５１２の高さ位置を接触部側誘い込み部４１２よりも低い位置となるようにしている。こうすれば、導体１０２を露出させた電線１００をコンタクト２上に載置させた際に、電線１００がほぼ水平状態となるようにすることができる（図４および図５参照）。
【００５３】
さらに、本実施形態では、縦壁７の上部には、上端がＸ方向の内側に位置するように傾斜させた傾斜部７ａが形成されている。そして、傾斜部７ａを、後述する治具１２０を用いて電線１００をコンタクト２に挿入させる際に、位置ずれした治具１２０を正規の位置に戻すガイド部として機能させている。このように、本実施形態では、他方の保持部側対向壁５１に、位置ずれした治具１２０を正規の位置に戻すガイド部５１４を形成している。
【００５４】
さらに、コンタクト２は、平面視で、導体接触部４および被覆体保持部５のうち少なくともいずれか一方の周辺に配置される保護部９を備えている。
【００５５】
本実施形態では、コンタクト２は、Ｚ方向（交差方向）に沿って視た状態で、接触部側対向壁４１の周辺に配置される保護部９を備えている。
【００５６】
具体的には、底壁３は、接触部側対向壁４１よりもＸ方向の一方側に突出するように形成されており、この底壁３のＸ方向の一方側の端縁に保護部９が連設されている。
【００５７】
本実施形態では、保護部９は、底壁３のＸ方向の一方側の端縁から上方に立ち上がるように連設された縦壁９１と、縦壁９１のＹ方向の外側の端縁に連設されてＸ方向の内側に延在する延設壁９２と、を備えている。
【００５８】
縦壁９１は、接触部側対向壁４１よりもＸ方向の外側に配置されており、Ｘ方向に沿って視た状態で、接触部側対向壁４１と重なり合うように形成されている。
【００５９】
そして、このような縦壁９１を形成することで、治具１２０を用いて電線１００をコンタクト２に挿入させる際等には、治具１２０が縦壁９１に接触するようにし、接触部側対向壁４１が変形してしまうのを抑制できるようにしている。
【００６０】
さらに、本実施形態では、縦壁９１は、上端がＸ方向の内側を向くように屈曲させた形状をしており、Ｘ方向の内側に屈曲させた部位を、位置ずれした治具１２０を正規の位置に戻すためのガイド部９１ａとして機能させている。なお、縦壁９１の上部には、Ｙ方向内側かつ下側に傾斜するテーパ部が形成されており、このテーパ部が保護部側誘い込み部９１ｂとなっている。
【００６１】
一方、延設壁９２の下部には、下方に突出する実装片９２ａが形成されている。この実装片９２ａは、下端面が底壁３の裏面３ｂと略面一となるように形成されており、コンタクト２を回路基板１１０上に載置した際に、下端面および裏面３ｂが回路基板１１０の表面に接触するようにしている。こうすることで、延設壁９２の先端（下端面）が回路基板１１０に実装されるようにしている。
【００６２】
このように、Ｙ方向に延在する縦壁９１とＸ方向に延在する延設壁９２とで、平面視で屈曲部を有する壁部を形成することで、Ｙ方向に延在する縦壁９１がＸ方向に倒れ込んでしまうことを抑制できるようにしている。すなわち、縦壁９１に加えられた力によって縦壁９１が塑性変形してしまうことを抑制できるようにしている。
【００６３】
そして、このような構成をしたコンタクト２への電線１００の挿入は、例えば、図６および図７に示す治具１２０を用いて行うことができる。
【００６４】
図６および図７に示す治具１２０は、作業者等が把持する把持部１２１と、把持部１２１に連設されて、保持された電線１００に押圧力（挿入力）を加える押圧部１２２と、を備えている。そして、このような治具１２０を用い、例えば、作業者等の一方の手で把持部１２１を把持した状態で、他方の指で押圧部１２２を押圧することで、電線１００をコンタクト２に挿入させることができる。このように、図６および図７に示す治具１２０は、電線１００をコンタクト２に挿入する際に作業者の指で押圧することが可能な押圧部１２２を備えている。
【００６５】
また、押圧部１２２は、導体１０２の導体接触部４に挿入される部位よりもＸ方向の外側（先端側）を挟持して保持する第１電線挟持部（第１電線保持部）１２２ｂを備えている。さらに、押圧部１２２は、被覆体１０１の被覆体保持部５に挿入される部位よりもＸ方向の外側（根元側）を挟持して保持する第２電線挟持部（第２電線保持部）１２２ｃを備えている。
【００６６】
さらに、押圧部１２２には、Ｚ方向に貫通する貫通孔１２２ａが形成されており、電線１００をコンタクト２に挿入させる際に、この貫通項１２２ａから電線１００やコンタクト２を覗き込むことができるようになっている。
【００６７】
そして、このような治具１２０を用いると、例えば、以下のようにして電線１００をコンタクト２に挿入させることができる。
【００６８】
まず、第１電線挟持部１２２ｂによって導体１０２を挟持するとともに、第２電線挟持部１２２ｃによって被覆体１０１を挟持する。
【００６９】
次に、電線１００の第１電線挟持部１２２ｂにより挟持された部位と第２電線挟持部１２２ｃにより挟持された部位との間に位置する導体１０２を開口部４２ａ上に配置する。同時に、電線１００の第１電線挟持部１２２ｂにより挟持された部位と第２電線挟持部１２２ｃにより挟持された部位との間に位置する被覆体１０１を開口部５２ａ上に配置させる。そして、導体１０２を開口部４２ａ上に配置させつつ、被覆体１０１を開口部５２ａ上に配置させた状態で、治具１２０の押圧体１２２を下方に押圧する。
【００７０】
こうすれば、導体１０２がスリット４２内に挿入されるとともに、被覆体１０１がスリット５２内に挿入されて、電線１００がコンタクト２に挿入される。
【００７１】
このとき、スリット４２上に配置された導体１０２は、一対の接触部側対向壁４１，４１をＹ方向の外側に弾性変形させながら、スリット４２の奥側に挿入される。そして、導体１０２が一対の接触部側対向壁４１，４１に形成された導体圧接部４１１に圧接されて、導体１０２とコンタクト２とが電気的に接続された状態で保持される。
【００７２】
一方、スリット５２上に配置された被覆体１０１は、一方の保持部側対向壁５１をＹ方向の外側に弾性変形させながら、スリット５２の奥側に挿入される。そして、被覆体１０１は、一対の保持部側対向壁５１，５１に形成された被覆体圧入部５１１に圧入保持される。
【００７３】
このように、本実施形態では、ハウジングや蓋部材等を用いずに、コンタクト２のみを備えるコネクタ１によって電線１００の導体１０２と回路基板１１０とが電気的に接続されるようにしている。こうすれば、コネクタ１を小型化することができ、回路基板１１０上におけるコネクタ１の配置スペースをより小さくすることができる。
【００７４】
また、本実施形態では、上方に開口した状態のコンタクト２に対して、一部（先端側）の導体１０２を露出させた電線１００を下方に相対移動させるだけで、導体１０２が導体接触部４に圧接されるとともに、被覆体１０１が被覆体保持部５に圧入保持されるようにしている。すなわち、電線１００をコンタクト２に挿入した後に、一対の接触部側対向壁４１，４１や一対の保持部側対向壁５１，５１を塑性変形させないようにしている。こうすれば、電線１００をコンタクト２に対して挿抜させることができ、コンタクト２を繰り返し使用することができるようになる。
【００７５】
なお、本実施形態では、上述したように、治具１２０を用いて電線１００をコンタクト２に挿入させる際に、治具１２０が平面視でコンタクト２に重なったとしても、治具１２０を下方に移動させるだけで正規の位置に戻すことができるようになっている。
【００７６】
例えば、図７に示すように、平面視で、第２電線挟持部１２２ｃが一対の保持部側対向壁５１，５１と重なり合うように位置ずれした場合、そのままの状態で治具１２０を下方に移動させると、第２電線挟持部１２２ｃがガイド部５１４に接触し、第２電線挟持部１２２ｃがガイド部５１４にガイドされながらＸ方向に移動して、治具１２０は、電線１００をコンタクト２に挿入させることができる位置（正規の位置）に戻ることになる。なお、第２電線挟持部１２２ｃのガイド部５１４と接触する部位に、下方かつＸ方向の外側に傾斜するテーパ部を形成してもよい。
【００７７】
また、第２電線挟持部１２２ｃのＸ方向の内側下部におけるＹ方向の一方側には、下方かつＸ方向の内側に開口する切り欠き１２２ｆが形成されており、第２電線挟持部１２２ｃがコンタクト２に干渉してしまうことを抑制できるようにしている。
【００７８】
また、平面視で、第１電線挟持部１２２ｂが保護部９と重なり合うように位置ずれした場合、第１電線挟持部１２２ｂがガイド部９１ａにガイドされながらＸ方向に移動して、治具１２０は、電線１００をコンタクト２に挿入させることができる位置（正規の位置）に戻ることになる。
【００７９】
なお、図６および図７には、電線１００を２箇所で挟持する治具１２０を例示したが、３箇所以上で電線１００を挟持するようにしてもよく、例えば、図８に示す治具１２０を用いて電線１００をコンタクト２に挿入させることができる。
【００８０】
図８には、電線１００の第１電線挟持部１２２ｂにより挟持された部位と第２電線挟持部１２２ｃにより挟持された部位との間の被覆体１０１を第３電線挟持部１２２ｄで挟持する治具１２０を例示している。このように、電線１００の第１電線挟持部１２２ｂにより挟持された部位と第２電線挟持部１２２ｃにより挟持された部位との間も挟持すれば、コンタクト２へ挿入する際に電線１００が撓んでしまうことを抑制することができる。
【００８１】
また、図９および図１０に示す治具１２０を用いて電線１００をコンタクト２に挿入させることもできる。
【００８２】
図９および図１０に示す治具１２０も、保持された電線１００に押圧力（挿入力）を加える押圧部１２２を備えている。そして、この押圧部１２２は、電線１００の圧接部４に挿入される部位よりもＸ方向の外側を挟持して保持する第１電線挟持部１２２ｂと、電線１００の被覆体保持部５に挿入される部位よりもＸ方向の外側を挟持して保持する第２電線挟持部１２２ｃと、を備えている。
【００８３】
また、第２電線挟持部１２２ｃのＸ方向の内側下部におけるＹ方向の一方側には、下方かつＸ方向の内側に開口する切り欠き１２２ｆが形成されており、第２電線挟持部１２２ｃがコンタクト２に干渉してしまうことを抑制できるようにしている。そして、第２電線挟持部１２２ｃのＸ方向の内側下部におけるＹ方向の他方側には、下方かつＸ方向の外側に傾斜するテーパ部１２２ｅが形成されており、このテーパ部１２２ｅを、位置ずれした治具１２０を正規の位置に戻すためのガイド部として機能させている。
【００８４】
さらに、図９および図１０に示す治具１２０においては、押圧部１２２が、第１電線挟持部１２２ｂと第２電線挟持部１２２ｃとを連設するように形成されたリブ１２２ｇを備えている。
【００８５】
このリブ１２２ｇは、電線１００をコンタクト２に挿入する際に、コンタクト２に干渉しないようにＹ方向の幅が狭くなっている。そして、第１電線挟持部１２２ｂおよび第２電線挟持部１２２ｃに保持された電線１００をコンタクト２に挿入する際に、電線１００の頂部がリブ１２２ｇによって押圧されるようにしている。
【００８６】
さらに、図９および図１０に示す押圧部１２２も、Ｚ方向に貫通する貫通孔１２２ａが形成されており、電線１００をコンタクト２に挿入させる際に、この貫通項１２２ａから電線１００やコンタクト２を覗き込むことができるようになっている。
【００８７】
このような治具１２０を用いれば、電線１００をコンタクト２に挿入させる際に、電線１００の第１電線挟持部１２２ｂにより挟持された部位と第２電線挟持部１２２ｃにより挟持された部位との間がリブ１２２ｇによって押圧されることになる。そのため、より確実に電線１００の撓みを抑制し、よりスムーズに電線１００をコンタクト２に挿入させることができるようになる。
【００８８】
なお、図９および図１０には、段差が形成されていないリブ１２２ｇを例示したが、リブ１２２ｇに段差を形成し、リブ１２２ｇが被覆体１０１を押圧するだけでなく、導体１０２も押圧する構成としてもよい。
【００８９】
また、治具を用いて電線１００をコンタクト２に挿入させる際に、機械により治具を操作するようにしてもよい。
【００９０】
以上説明したように、本実施形態では、コネクタ１は、回路基板（被接続部材）１１０に接続されるとともに電線１００の導体１０２が接触することで、回路基板１１０と導体１０２とが電気的に接続されるコンタクト２を備えている。
【００９１】
このコンタクト２は、電線１００における被覆体１０１から露出した部位を電線１００が延在する電線延在方向と交差する交差方向に相対移動させることで、導体１０２が接触する導体接触部４を備えている。さらに、コンタクト２は、電線１００における導体１０２が被覆体１０１で覆われた部位を交差方向に相対移動させることで、被覆体１０１を保持する被覆体保持部５と、を備えている。
【００９２】
こうすれば、電線１００は、露出した導体１０２を導体接触部４に接触させつつ、導体が露出していない被覆体１０１が被覆体保持部５に保持された状態で、コンタクト２に挿入されることになる。このように、電線１００の被覆体１０１をコンタクト２で保持するようにすれば、コンタクト２による電線１００の保持力をより向上させることができる。
【００９３】
例えば、電線１００をコンタクト２に挿入した状態で、電線１００が引っ張られて上下方向にあおられたとしても、その力が導体接触部４と導体電線１０２との接触部分に伝達されてしまうことを抑制することができ、電線１００のコンタクト２からの外れを抑制することができる。
【００９４】
このように、本実施形態によれば、コンタクト２による電線１００の保持力をより向上させることが可能なコネクタ１を得ることができる。
【００９５】
なお、電線１００の根元側の被覆体１０１を被覆体保持部５に保持させるようにすれば、電線１００の根元側の被覆体１０１をＸ方に引っ張った際に、被覆体１０１が導体１０２に対して相対移動して撓んでしまうことを抑制できるようになる。すなわち、コンタクト２の外側に位置する被覆体１０１が撓んで、コンタクト２の外側で導体１０２が露出してしまうことを抑制できるようになる。
【００９６】
なお、コンタクト２に電線１００を挿入する際に治具１２０を用いるようにしてもよい。そして、この治具１２０が、電線１００の導体１０２を保持する第１電線挟持部（第１電線保持部）１２２ｂと、電線１００の被覆体１０１を保持する第２電線挟持部（第２電線保持部）１２２ｃと、を有し、第１電線挟持部１２２ｂおよび第２電線挟持部１２２ｃに保持された電線１００をコンタクト２に挿入する際に作業者の指で押圧することが可能な押圧部１２２を備えるようにしてもよい。
【００９７】
このような治具を用いれば、より容易に電線１００をコンタクト２に挿入することができるようになる。
【００９８】
また、導体接触部４が、Ｚ方向の一方側に開口する開口部４２ａを有するスリット（導体挿入空間）４２と、スリット４２を挟んで対向する接触部側対向壁４１と、を備えるようにしてもよい。
【００９９】
そして、接触部側対向壁４１が、導体接触部４に保持された導体１０２の抜けを抑制する接触部側抜け止め部４１３を備えるようにしてもよい。
【０１００】
こうすれば、導体１０２が導体接触部４に保持された状態をより確実に維持することができるようになる。その結果、コンタクト２による電線１００の保持力をより向上させることができるようになる。
【０１０１】
また、接触部側対向壁４１が、接触部側抜け止め部４１３よりもスリット４２の奥側に位置して導体１０２を圧接する導体圧接部４１１を備えるようにしてもよい。
【０１０２】
こうすれば、導体１０２を、より強固に接触部側対向壁４１で保持することができ、導体１０２とコンタクト２との接触信頼性をより向上させることができる。
【０１０３】
また、接触部側対向壁４１が、接触部側抜け止め部４１３よりもスリット４２の開口側に位置し、導体１０２をスリット４２に誘い込む接触部側誘い込み部４１２を備えるようにしてもよい。
【０１０４】
こうすれば、より容易に導体１０２をスリット４２内に挿入させることができる。
【０１０５】
また、接触部側対向壁４１が、Ｙ方向（電線延在方向および交差方向と交差する方向）に弾性変形可能な接触部側係止片を有するようにしてもよい。
【０１０６】
こうすれば、より容易に導体１０２をスリット４２内に挿入させることができる上、接触部側係止片の弾性復元力により導体１０２をより確実に圧接保持することができるようになる。
【０１０７】
また、被覆体保持部５が、Ｚ方向の一方側に開口する開口部５２ａを有するスリット（被覆体挿入空間）５２と、スリット５２を挟んで対向する保持部側対向壁５１と、を備えるようにしてもよい。
【０１０８】
そして、保持部側対向壁５１が、被覆体保持部５に保持された被覆体１０１の抜けを抑制する保持部側抜け止め部５１３を備えるようにしてもよい。
【０１０９】
こうすれば、被覆体１０１が被覆体保持部５に保持された状態をより確実に維持することができるようになる。その結果、コンタクト２による電線１００の保持力をより向上させることができるようになる。
【０１１０】
また、保持部側対向壁５１が、保持部側抜け止め部５１３よりもスリット５２の奥側に位置して被覆体１０１を圧入する被覆体圧入部５１１を備えるようにしてもよい。
【０１１１】
こうすれば、被覆体１０１を、より強固に保持部側対向壁５１で保持することができ、コンタクト２による電線１００の保持力をより向上させることができるようになる。
【０１１２】
また、保持部側対向壁５１が、保持部側抜け止め部５１３よりもスリット５２の開口側に位置し、被覆体１０１をスリット５２に誘い込む保持部側誘い込み部５１２を備えるようにしてもよい。
【０１１３】
こうすれば、より容易に被覆体１０１をスリット５２内に挿入させることができる。
【０１１４】
また、保持部側対向壁５１が、Ｙ方向に弾性変形可能な保持部側係止片を有するようにしてもよい。
【０１１５】
こうすれば、より容易に被覆体１０１をスリット５２内に挿入させることができる上、保持部側係止片の弾性復元力により被覆体１０１をより確実に圧入保持することができるようになる。
【０１１６】
また、保持部側対向壁５１が、回路基板１１０に固定される保持部側固定壁を有するようにしてもよい。
【０１１７】
こうすれば、保持部側対向壁５１が塑性変形してしまうことが抑制され、より確実に電線１００をコンタクト２の挿入させることができるようになる。
【０１１８】
また、保持部側対向壁５１に、位置ずれした治具１２０を正規の位置に戻すガイド部５１４が形成されるようにしてもよい。
【０１１９】
こうすれば、より容易に電線１００をコンタクト２に挿入させることができるようになる。
【０１２０】
また、コンタクト２が、保持部側対向壁５１が連設されて回路基板１１０上に載置される底壁３を備えるようにしてもよい。
【０１２１】
こうすれば、より安定した姿勢でコンタクト２を回路基板１１０に接続させることができるため、より容易に電線１００をコンタクト２に挿入させることができるようになる。
【０１２２】
また、コンタクト２が、回路基板１１０上に載置される底壁３と、底壁３に連設された側壁６と、を備えるようにしてもよい。
【０１２３】
こうすれば、コンタクト２に挿入された電線１００のＹ方向への位置ずれを側壁６によって規制することができる。すなわち、電線１００をコンタクト２に挿入した際に、電線１００がＹ方向に湾曲して底壁３よりもＹ方向の外側にはみ出してしまうことを抑制することができる。その結果、コンタクト２に挿入された電線１００が配置される範囲（Ｙ方向の範囲）を、より確実に所定の範囲に収めることができるようになる。
【０１２４】
また、接触部側対向壁４１が側壁６１に連設されるようにしてもよい。
【０１２５】
こうすれば、より容易に接触部側対向壁４１を形成することができる。
【０１２６】
また、保持部側対向壁５１が側壁６に連設されるようにしてもよい。
【０１２７】
こうすれば、より容易に保持部側対向壁５１を形成することができる。
【０１２８】
また、底壁３の裏面３ｂを回路基板１１０に実装される実装面としてもよい。
【０１２９】
こうすれば、コンタクト２をより強固に回路基板１１０に実装（接続）させることができるようになる。また、コンタクト２の回路基板１１０への実装領域（実装面積）が比較的大きくなるため、コンタクト２をより強固に回路基板１１０に実装させることができるようになる。
【０１３０】
また、コンタクト２が、Ｚ方向に沿って視た状態で、導体接触部４および被覆体保持部５のうち少なくともいずれか一方の周辺に配置される保護部９を備えるようにしてもよい。
【０１３１】
こうすれば、治具１２０を用いて電線１００をコンタクト２に挿入させる際等に、治具１２０などが導体接触部４や被覆体保持部５に接触してしまうことを抑制することができる。その結果、導体接触部４や被覆体保持部５が変形してしまうことをより確実に抑制することができるようになる。
【０１３２】
また、保護部９に、位置ずれした治具１２０を正規の位置に戻すガイド部９１ａが形成されるようにしてもよい。
【０１３３】
こうすれば、より容易に電線１００をコンタクト２に挿入させることができるようになる。
【０１３４】
次に、コンタクトの変形例を説明する。
【０１３５】
コンタクト２の形状は、図１２に示す形状とすることも可能である。
【０１３６】
図１２に示すコンタクト２も、上記実施形態で示したコンタクト２と同様に、一部（先端側）の導体１０２を被覆体１０１から露出させた電線１００を、Ｚ方向に相対移動させることで、保持するものである。
【０１３７】
また、図１２に示すコンタクト２も、回路基板１１０上に載置される底壁３と、底壁３に連設された側壁６と、を備えている。そして、一対の接触部側対向壁４１が一対の側壁６（第１側壁６１）にそれぞれ連設されるとともに、一方の保持部側対向壁５１が側壁６（第２側壁６２）に連設されている。
【０１３８】
さらに、図１２においても、接触部側対向壁４１は、平面視における第１側壁６１とのなす角が鈍角となるように、第１側壁６１に連設されており、一対の接触部側対向壁４１，４１が、Ｙ方向に弾性変形可能な接触部側係止片となっている。
【０１３９】
そして、接触部側対向壁４１には、導体圧接部４１１、接触部側誘い込み部４１２および接触部側抜け止め部４１３が形成されている。
【０１４０】
また、一対の保持部側対向壁５１，５１のうち一方の保持部側対向壁５１は、平面視における第２側壁６２とのなす角が鈍角となるように、第２側壁６２に連設されており、一方の保持部側対向壁５１が、Ｙ方向に弾性変形可能な保持部側係止片となっている。
【０１４１】
また、他方の保持部側対向壁５１は、底壁３のＸ方向の端縁に、上方に立ち上がるように連設された縦壁７によって形成されており、縦壁７のＹ方向の外側の端縁に、Ｘ方向の内側に延在する延設壁８が連設されている。
【０１４２】
そして、延設壁８の下部には、下方に突出する実装片８ａが形成されており、実装片８ａの先端（下端面）が回路基板１１０に実装されている。
【０１４３】
このように、図１２においても、他方の保持部側対向壁５１となる縦壁７が、延設壁８を介して回路基板１１０に固定（実装）されている。すなわち、他方の保持部側対向壁５１は、回路基板１１０に固定される保持部側固定壁となっている。
【０１４４】
そして、保持部側対向壁５１には、被覆体圧入部５１１、保持部側誘い込み部５１２（テーパ部７ｂ）および保持部側抜け止め部５１３（突部の下面７ｃ）が形成されている。
【０１４５】
また、図１２においても、縦壁７の上部には、上端がＸ方向の内側に位置するように傾斜させた傾斜部７ａが形成されており、この傾斜部７ａを、位置ずれした治具１２０を正規の位置に戻すガイド部５１４として機能させている。
【０１４６】
さらに、コンタクト２は、平面視で、導体接触部４および被覆体保持部５のうち少なくともいずれか一方の周辺に配置される保護部９を備えている。
【０１４７】
図１２においても、コンタクト２は、Ｚ方向（交差方向）に沿って視た状態で、接触部側対向壁４１の周辺に配置される保護部９を備えている。
【０１４８】
具体的には、保護部９は、底壁３のＸ方向の一方側の端縁から上方に立ち上がるように連設された縦壁９１と、縦壁９１のＹ方向の外側の端縁に連設されてＸ方向の内側に延在する延設壁９２と、を備えている。そして、治具１２０を縦壁９１に接触させることで、接触部側対向壁４１が変形してしまうのを抑制できるようにしている。
【０１４９】
ただし、図１２に示すコンタクト２では、縦壁９１の上部に、位置ずれした治具１２０を正規の位置に戻すためのガイド部が形成されていない。
【０１５０】
このようなコンタクト２を用いても、上記実施形態に示すコンタクト２とほぼ同様の作用、効果を奏することができる。
【０１５１】
また、コンタクト２の形状は、図１３に示す形状とすることも可能である。
【０１５２】
図１３に示すコンタクト２も、上記実施形態で示したコンタクト２と同様に、一部（先端側）の導体１０２を被覆体１０１から露出させた電線１００を、Ｚ方向に相対移動させることで、保持するものである。
【０１５３】
また、図１３に示すコンタクト２も、回路基板１１０上に載置される底壁３と、底壁３に連設された側壁６と、を備えている。なお、図１３に示すコンタクト２では、底壁３のＸ方向の両端に、Ｘ方向の外側に突出する実装片３１が形成されている。
【０１５４】
そして、図１３に示すコンタクト２においては、平面視で、導体接触部４および被覆体保持部５のうち少なくともいずれか一方の周辺に配置される保護部を備えていない。
【０１５５】
また、図１３に示すコンタクト２においては、一対の接触部側対向壁４１および一対の保持部側対向壁５１が、一対の側壁６にそれぞれ連設されている。
【０１５６】
具体的には、図１３においては、底壁３のＹ方向の両端には、１枚の側壁６が上方に立ち上がるようにそれぞれ連設されている。そして、接触部側対向壁４１の一方と保持部側対向壁５１の一方とが、底壁３のＹ方向の一方側に連設された１枚の側壁６のＸ方向の両側にそれぞれ連設されている。また、接触部側対向壁４１の他方と保持部側対向壁５１の他方とが、底壁３のＹ方向の他方側に連設された１枚の側壁６のＸ方向の両側にそれぞれ連設されている。こうすれば、コンタクト２を形成する際に行う屈曲工程を減らすことができ、コンタクト２をより容易に製造することができるようになる。
【０１５７】
さらに、一対の接触部側対向壁４１，４１が、平面視で、先端側がＹ方向の内側に位置するように形成されている。このとき、接触部側対向壁４１は、平面視における側壁６とのなす角が鈍角となるように形成されている。
【０１５８】
そして、図１３に示すコンタクト２においても、一対の接触部側対向壁４１，４１は、側壁６のＸ方向の一方側にそれぞれＹ方向に弾性変形可能に連設されており、一対の接触部側対向壁４１，４１が、Ｙ方向に弾性変形可能な接触部側係止片となっている。
【０１５９】
こうすることで、先端が、Ｘ方向の一方側、かつ、Ｙ方向の内側に延在する一対の接触部側係止片によって電線１００が挟持されるようにしている。
【０１６０】
また、接触部側対向壁４１には、導体圧接部４１１、接触部側誘い込み部４１２および接触部側抜け止め部４１３が形成されている。
【０１６１】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０１６２】
さらに、図１３においては、一対の保持部側対向壁５１，５１は、平面視で、先端側がＹ方向の内側に位置するように形成されている。このとき、保持部側対向壁５１は、平面視における側壁６とのなす角が鈍角となるように形成されている。
【０１６３】
そして、図１３に示すコンタクト２においては、一対の保持部側対向壁５１，５１は、側壁６のＸ方向の他方側にそれぞれＹ方向に弾性変形可能に連設されており、一対の保持部側対向壁５１，５１が、Ｙ方向に弾性変形可能な保持部側係止片となっている。
【０１６４】
こうすることで、先端が、Ｘ方向の他方側、かつ、Ｙ方向の内側に延在する一対の保持部側係止片によって電線１００が挟持されるようにしている。
【０１６５】
また、保持部側対向壁５１には、被覆体圧入部５１１、保持部側誘い込み部５１２および保持部側抜け止め部５１３が形成されている。
【０１６６】
なお、Ｘ方向の他方側、かつ、Ｙ方向の内側に延在する一対の保持部側係止片の上部に設けたテーパ状の保持部側誘い込み部５１２は、位置ずれした治具１２０を正規の位置に戻すガイド部５１４として機能させることもできる。
【０１６７】
このようなコンタクト２を用いても、上記実施形態に示すコンタクト２とほぼ同様の作用、効果を奏することができる。
【０１６８】
また、コンタクト２の形状は、図１４に示す形状とすることも可能である。
【０１６９】
図１４に示すコンタクト２も、図１３で示したコンタクト２と同様に、一部（先端側）の導体１０２を被覆体１０１から露出させた電線１００を、Ｚ方向に相対移動させることで、保持するものである。
【０１７０】
また、図１４に示すコンタクト２も、回路基板１１０上に載置される底壁３と、底壁３に連設された側壁６と、を備えている。
【０１７１】
そして、図１４に示すコンタクト２においても、一対の接触部側対向壁４１が一対の側壁６（第１側壁６１）にそれぞれ連設されており、一対の保持部側対向壁５１が一対の側壁６（第２側壁６２）にそれぞれ連設されている。
【０１７２】
具体的には、図１４においては、底壁３のＹ方向の両端には、第１側壁６１が上方に立ち上がるようにそれぞれ連設されており、この第１側壁６１のＸ方向の他方側に接触部側対向壁４１が連設されている。さらに、一対の接触部側対向壁４１，４１が、平面視で、先端側がＹ方向の内側に位置するように形成されている。このとき、接触部側対向壁４１は、平面視における第１側壁６１とのなす角が鈍角となるように形成されている。
【０１７３】
そして、図１４に示すコンタクト２においては、一対の接触部側対向壁４１，４１は、第１側壁６１のＸ方向の他方側にそれぞれＹ方向に弾性変形可能に連設されており、一対の接触部側対向壁４１，４１が、Ｙ方向に弾性変形可能な接触部側係止片となっている。
【０１７４】
こうすることで、先端が、Ｘ方向の他方側、かつ、Ｙ方向の内側に延在する一対の接触部側係止片によって電線１００が挟持されるようにしている。
【０１７５】
また、接触部側対向壁４１には、導体圧接部４１１、接触部側誘い込み部４１２および接触部側抜け止め部４１３が形成されている。
【０１７６】
さらに、図１４においては、底壁３のＹ方向の両端における第１側壁６１よりもＸ方向の他方側には、第２側壁６２が上方に立ち上がるようにそれぞれ連設されており、この第２側壁６２のＸ方向の一方側に保持部側対向壁５１が連設されている。さらに、一対の保持部側対向壁５１，５１は、平面視で、先端側がＹ方向の内側に位置するように形成されている。このとき、保持部側対向壁５１は、平面視における第２側壁６２とのなす角が鈍角となるように形成されている。
【０１７７】
そして、図１４に示すコンタクト２においては、一対の保持部側対向壁５１，５１は、第２側壁６２のＸ方向の一方側にそれぞれＹ方向に弾性変形可能に連設されており、一対の保持部側対向壁５１，５１が、Ｙ方向に弾性変形可能な保持部側係止片となっている。
【０１７８】
こうすることで、先端が、Ｘ方向の一方側、かつ、Ｙ方向の内側に延在する一対の保持部側係止片によって電線１００が挟持されるようにしている。
【０１７９】
このように、図１４に示すコンタクト２では、接触部側対向壁４１の先端と保持部側対向壁５１の先端とがＸ方向で対向している。
【０１８０】
また、保持部側対向壁５１には、被覆体圧入部５１１、保持部側誘い込み部５１２および保持部側抜け止め部５１３が形成されている。
【０１８１】
このようなコンタクト２を用いても、図１３に示すコンタクト２とほぼ同様の作用、効果を奏することができる。
【０１８２】
また、コンタクト２の形状は、図１５に示す形状とすることも可能である。
【０１８３】
図１５に示すコンタクト２も、図１３で示したコンタクト２と同様に、一部（先端側）の導体１０２を被覆体１０１から露出させた電線１００を、Ｚ方向に相対移動させることで、保持するものである。
【０１８４】
そして、図１５においても、底壁３のＹ方向の両端には、１枚の側壁６が上方に立ち上がるようにそれぞれ連設されている。そして、接触部側対向壁４１の一方と保持部側対向壁５１の一方とが、底壁３のＹ方向の一方側に連設された１枚の側壁６のＸ方向の両側にそれぞれ連設されている。また、接触部側対向壁４１の他方と保持部側対向壁５１の他方とが、底壁３のＹ方向の他方側に連設された１枚の側壁６のＸ方向の両側にそれぞれ連設されている。
【０１８５】
さらに、一対の接触部側対向壁４１，４１が、平面視で、先端側がＹ方向の内側に位置するように形成されている。このとき、接触部側対向壁４１は、平面視における側壁６とのなす角が鈍角となるように形成されている。
【０１８６】
そして、図１５に示すコンタクト２においても、一対の接触部側対向壁４１，４１は、側壁６のＸ方向の一方側にそれぞれＹ方向に弾性変形可能に連設されており、一対の接触部側対向壁４１，４１が、Ｙ方向に弾性変形可能な接触部側係止片となっている。
【０１８７】
こうすることで、先端が、Ｘ方向の一方側、かつ、Ｙ方向の内側に延在する一対の接触部側係止片によって電線１００が挟持されるようにしている。
【０１８８】
また、接触部側対向壁４１には、導体圧接部４１１、接触部側誘い込み部４１２および接触部側抜け止め部４１３が形成されている。
【０１８９】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０１９０】
さらに、図１５においても、一対の保持部側対向壁５１，５１は、平面視で、先端側がＹ方向の内側に位置するように形成されている。このとき、保持部側対向壁５１は、平面視における側壁６とのなす角が略直角となるように形成されている。こうすれば、コンタクト２のＸ方向の小型化を図ることができる。
【０１９１】
そして、図１５に示すコンタクト２においても、一対の保持部側対向壁５１，５１は、側壁６のＸ方向の他方側にそれぞれＹ方向に弾性変形可能に連設されており、一対の保持部側対向壁５１，５１が、Ｙ方向に弾性変形可能な保持部側係止片となっている。
【０１９２】
こうすることで、先端がＹ方向で対向する一対の保持部側係止片によって電線１００が挟持されるようにしている。
【０１９３】
また、保持部側対向壁５１には、被覆体圧入部５１１、保持部側誘い込み部５１２および保持部側抜け止め部５１３が形成されている。
【０１９４】
このようなコンタクト２を用いても、図１３に示すコンタクト２とほぼ同様の作用、効果を奏することができる。
【０１９５】
また、コンタクト２の形状は、図１６に示す形状とすることも可能である。
【０１９６】
図１６に示すコンタクト２も、図１３で示したコンタクト２と同様に、一部（先端側）の導体１０２を被覆体１０１から露出させた電線１００を、Ｚ方向に相対移動させることで、保持するものである。
【０１９７】
また、図１６に示すコンタクト２も、回路基板１１０上に載置される底壁３と、底壁３に連設された側壁６と、を備えている。
【０１９８】
そして、図１６に示すコンタクト２においては、一対の接触部側対向壁４１が一対の側壁６（第１側壁６１）にそれぞれ連設されており、一対の保持部側対向壁５１が一対の側壁６（第２側壁６２）にそれぞれ連設されている。
【０１９９】
具体的には、図１６においては、底壁３のＹ方向の両端には、第１側壁６１が上方に立ち上がるようにそれぞれ連設されており、この第１側壁６１のＸ方向の一方側に接触部側対向壁４１が連設されている。さらに、一対の接触部側対向壁４１，４１が、平面視で、先端側がＹ方向の内側に位置するように形成されている。このとき、接触部側対向壁４１は、平面視における第１側壁６１とのなす角が鈍角となるように形成されている。
【０２００】
そして、図１６に示すコンタクト２においては、一対の接触部側対向壁４１，４１は、第１側壁６１のＸ方向の一方側にそれぞれＹ方向に弾性変形可能に連設されており、一対の接触部側対向壁４１，４１が、Ｙ方向に弾性変形可能な接触部側係止片となっている。
【０２０１】
こうすることで、先端が、Ｘ方向の一方側、かつ、Ｙ方向の内側に延在する一対の接触部側係止片によって電線１００が挟持されるようにしている。
【０２０２】
また、接触部側対向壁４１には、導体圧接部４１１、接触部側誘い込み部４１２および接触部側抜け止め部４１３が形成されている。
【０２０３】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０２０４】
さらに、図１６においては、底壁３のＹ方向の両端における第１側壁６１よりもＸ方向の他方側には、第２側壁６２が上方に立ち上がるようにそれぞれ連設されており、この第２側壁６２のＸ方向の他方側に保持部側対向壁５１が連設されている。さらに、一対の保持部側対向壁５１，５１は、平面視で、先端側がＹ方向の内側に位置するように形成されている。このとき、保持部側対向壁５１は、平面視における第２側壁６２とのなす角が略直角となるように形成されている。
【０２０５】
そして、図１６に示すコンタクト２においては、一対の保持部側対向壁５１，５１は、第２側壁６２のＸ方向の他方側にそれぞれＹ方向に弾性変形可能に連設されており、一対の保持部側対向壁５１，５１が、Ｙ方向に弾性変形可能な保持部側係止片となっている。
【０２０６】
こうすることで、先端がＹ方向で対向する一対の保持部側係止片によって電線１００が挟持されるようにしている。
【０２０７】
また、保持部側対向壁５１には、被覆体圧入部５１１、保持部側誘い込み部５１２および保持部側抜け止め部５１３が形成されている。
【０２０８】
このようなコンタクト２を用いても、図１３に示すコンタクト２とほぼ同様の作用、効果を奏することができる。
【０２０９】
また、コンタクト２の形状は、図１７に示す形状とすることも可能である。
【０２１０】
図１７に示すコンタクト２も、図１６で示したコンタクト２と同様に、一部（先端側）の導体１０２を被覆体１０１から露出させた電線１００を、Ｚ方向に相対移動させることで、保持するものである。
【０２１１】
また、図１７に示すコンタクト２も、回路基板１１０上に載置される底壁３と、底壁３に連設された側壁６と、を備えている。
【０２１２】
そして、図１７に示すコンタクト２においても、一対の接触部側対向壁４１が一対の側壁６（第１側壁６１）にそれぞれ連設されており、一対の保持部側対向壁５１が一対の側壁６（第２側壁６２）にそれぞれ連設されている。
【０２１３】
具体的には、図１７においては、底壁３のＹ方向の両端には、第１側壁６１が上方に立ち上がるようにそれぞれ連設されており、この第１側壁６１のＸ方向の一方側に接触部側対向壁４１が連設されている。さらに、一対の接触部側対向壁４１，４１が、平面視で、先端側がＹ方向の内側に位置するように形成されている。このとき、接触部側対向壁４１は、平面視における第１側壁６１とのなす角が鈍角となるように形成されている。
【０２１４】
そして、図１７に示すコンタクト２においては、一対の接触部側対向壁４１，４１は、第１側壁６１のＸ方向の一方側にそれぞれＹ方向に弾性変形可能に連設されており、一対の接触部側対向壁４１，４１が、Ｙ方向に弾性変形可能な接触部側係止片となっている。
【０２１５】
こうすることで、先端が、Ｘ方向の一方側、かつ、Ｙ方向の内側に延在する一対の接触部側係止片によって電線１００が挟持されるようにしている。
【０２１６】
また、接触部側対向壁４１には、導体圧接部４１１、接触部側誘い込み部４１２および接触部側抜け止め部４１３が形成されている。
【０２１７】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０２１８】
さらに、図１７においては、底壁３のＹ方向の両端における第１側壁６１よりもＸ方向の他方側には、第２側壁６２が上方に立ち上がるようにそれぞれ連設されており、この第２側壁６２のＸ方向の他方側に保持部側対向壁５１が連設されている。さらに、一対の保持部側対向壁５１，５１は、平面視で、先端側がＹ方向の内側に位置するように形成されている。このとき、保持部側対向壁５１は、平面視における第２側壁６２とのなす角が鋭角となるように形成されている。
【０２１９】
そして、図１７に示すコンタクト２においては、一対の保持部側対向壁５１，５１は、第２側壁６２のＸ方向の他方側にそれぞれＹ方向に弾性変形可能に連設されており、一対の保持部側対向壁５１，５１が、Ｙ方向に弾性変形可能な保持部側係止片となっている。
【０２２０】
こうすることで、先端が、Ｘ方向の一方側、かつ、Ｙ方向の内側に延在する一対の保持部側係止片によって電線１００が挟持されるようにしている。
【０２２１】
また、保持部側対向壁５１には、被覆体圧入部５１１、保持部側誘い込み部５１２および保持部側抜け止め部５１３が形成されている。
【０２２２】
このようなコンタクト２を用いても、図１６に示すコンタクト２とほぼ同様の作用、効果を奏することができる。
【０２２３】
また、コンタクト２の形状は、図１８に示す形状とすることも可能である。
【０２２４】
図１８に示すコンタクト２も、図１６で示したコンタクト２と同様に、一部（先端側）の導体１０２を被覆体１０１から露出させた電線１００を、Ｚ方向に相対移動させることで、保持するものである。
【０２２５】
また、図１８に示すコンタクト２も、回路基板１１０上に載置される底壁３と、底壁３に連設された側壁６と、を備えている。
【０２２６】
そして、図１８に示すコンタクト２においては、一対の接触部側対向壁４１が一対の側壁６（第１側壁６１）にそれぞれ連設されており、一対の保持部側対向壁５１が底壁３にそれぞれ連設されている。
【０２２７】
具体的には、図１８においては、底壁３のＹ方向の両端には、第１側壁６１が上方に立ち上がるようにそれぞれ連設されており、この第１側壁６１のＸ方向の一方側に接触部側対向壁４１が連設されている。さらに、一対の接触部側対向壁４１，４１が、平面視で、先端側がＹ方向の内側に位置するように形成されている。このとき、接触部側対向壁４１は、平面視における第１側壁６１とのなす角が鈍角となるように形成されている。
【０２２８】
そして、図１８に示すコンタクト２においては、一対の接触部側対向壁４１，４１は、第１側壁６１のＸ方向の一方側にそれぞれＹ方向に弾性変形可能に連設されており、一対の接触部側対向壁４１，４１が、Ｙ方向に弾性変形可能な接触部側係止片となっている。
【０２２９】
こうすることで、先端が、Ｘ方向の一方側、かつ、Ｙ方向の内側に延在する一対の接触部側係止片によって電線１００が挟持されるようにしている。
【０２３０】
また、接触部側対向壁４１には、導体圧接部４１１、接触部側誘い込み部４１２および接触部側抜け止め部４１３が形成されている。
【０２３１】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０２３２】
さらに、図１８においては、底壁３のＸ方向の他方側に、一対の縦壁７が上方に立ち上がるようにそれぞれ連設されており、この縦壁７が保持部側対向壁５１となっている。また、保持部側対向壁５１には、被覆体圧入部５１１、保持部側誘い込み部５１２（テーパ部７ｂ）および保持部側抜け止め部５１３（突部の下面７ｃ）が形成されている。
【０２３３】
また、図１８においては、縦壁７の上部には、上端がＸ方向の内側に位置するように傾斜させた傾斜部７ａが形成されており、この傾斜部７ａを、位置ずれした治具１２０を正規の位置に戻すガイド部５１４として機能させている。
【０２３４】
さらに、縦壁７の上部には、上端がＸ方向の内側に位置するように傾斜させた傾斜部７ａが形成されている。そして、傾斜部７ａを、後述する治具１２０を用いて電線１００をコンタクト２に挿入させる際に、位置ずれした治具１２０を正規の位置に戻すガイド部として機能させている。このように、本実施形態では、他方の保持部側対向壁５１に、位置ずれした治具１２０を正規の位置に戻すガイド部５１４を形成している。
【０２３５】
このようなコンタクト２を用いても、図１６に示すコンタクト２とほぼ同様の作用、効果を奏することができる。
【０２３６】
また、コンタクト２の形状は、図１９に示す形状とすることも可能である。
【０２３７】
図１９に示すコンタクト２も、上記実施形態で示したコンタクト２と同様に、一部（先端側）の導体１０２を被覆体１０１から露出させた電線１００を、Ｚ方向に相対移動させることで、保持するものである。
【０２３８】
また、図１９に示すコンタクト２も、回路基板１１０上に載置される底壁３と、底壁３に連設された側壁６と、を備えている。そして、一対の接触部側対向壁４１が一対の側壁６（第１側壁６１）にそれぞれ連設されるとともに、一方の保持部側対向壁５１が側壁６（第２側壁６２）に連設されている。
【０２３９】
ただし、図１９に示すコンタクト２においては、平面視で、導体接触部４および被覆体保持部５のうち少なくともいずれか一方の周辺に配置される保護部を備えていない。
【０２４０】
さらに、図１９においては、接触部側対向壁４１は、平面視における第１側壁６１とのなす角が鈍角となるように、第１側壁６１に連設されており、一対の接触部側対向壁４１，４１が、Ｙ方向に弾性変形可能な接触部側係止片となっている。
【０２４１】
そして、接触部側対向壁４１には、導体圧接部４１１、接触部側誘い込み部４１２および接触部側抜け止め部４１３が形成されている。
【０２４２】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０２４３】
また、一対の保持部側対向壁５１，５１のうち一方の保持部側対向壁５１は、平面視における第２側壁６２とのなす角が略直角となるように、第２側壁６２に連設されており、一方の保持部側対向壁５１が、Ｙ方向に弾性変形可能な保持部側係止片となっている。
【０２４４】
また、他方の保持部側対向壁５１は、底壁３のＸ方向の端縁に、上方に立ち上がるように連設された縦壁７によって形成されており、縦壁７のＹ方向の外側の端縁に、Ｘ方向の内側に延在する延設壁８が連設されている。
【０２４５】
そして、延設壁８の下部には、下方に突出する実装片８ａが形成されており、実装片８ａの先端（下端面）が回路基板１１０に実装されている。
【０２４６】
このように、図１９においても、他方の保持部側対向壁５１となる縦壁７が、延設壁８を介して回路基板１１０に固定（実装）されている。すなわち、他方の保持部側対向壁５１は、回路基板１１０に固定される保持部側固定壁となっている。
【０２４７】
そして、保持部側対向壁５１には、被覆体圧入部５１１、保持部側誘い込み部５１２（テーパ部７ｂ）および保持部側抜け止め部５１３（突部の下面７ｃ）が形成されている。
【０２４８】
また、図１９においても、縦壁７の上部には、上端がＸ方向の内側に位置するように傾斜させた傾斜部７ａが形成されており、この傾斜部７ａを、位置ずれした治具１２０を正規の位置に戻すガイド部５１４として機能させている。
【０２４９】
このようなコンタクト２を用いても、上記実施形態に示すコンタクト２とほぼ同様の作用、効果を奏することができる。
【０２５０】
また、コンタクト２の形状は、図２０に示す形状とすることも可能である。
【０２５１】
図２０に示すコンタクト２も、図１９に示したコンタクト２と同様に、一部（先端側）の導体１０２を被覆体１０１から露出させた電線１００を、Ｚ方向に相対移動させることで、保持するものである。
【０２５２】
そして、図２０においては、一対の保持部側対向壁５１，５１のうち一方の保持部側対向壁５１が、平面視における第２側壁６２とのなす角が鈍角となるようにしており、この点が図１９に示すコンタクト２と主に異なる点である。
【０２５３】
このようなコンタクト２を用いても、図１９に示すコンタクト２とほぼ同様の作用、効果を奏することができる。
【０２５４】
また、コンタクト２の形状は、図２１に示す形状とすることも可能である。
【０２５５】
図２１に示すコンタクト２も、図１９に示したコンタクト２と同様に、一部（先端側）の導体１０２を被覆体１０１から露出させた電線１００を、Ｚ方向に相対移動させることで、保持するものである。
【０２５６】
また、図２１に示すコンタクト２も、回路基板１１０上に載置される底壁３と、底壁３に連設された側壁６と、を備えている。そして、図２１においては、一対の接触部側対向壁４１が一対の側壁６（第１側壁６１）にそれぞれ連設されるとともに、一対の保持部側対向壁５１が底壁３にそれぞれ連設されている。
【０２５７】
また、図２１においても、接触部側対向壁４１は、平面視における第１側壁６１とのなす角が鈍角となるように、第１側壁６１に連設されており、一対の接触部側対向壁４１，４１が、Ｙ方向に弾性変形可能な接触部側係止片となっている。
【０２５８】
そして、接触部側対向壁４１には、導体圧接部４１１、接触部側誘い込み部４１２および接触部側抜け止め部４１３が形成されている。
【０２５９】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０２６０】
また、一対の保持部側対向壁５１，５１は、底壁３のＸ方向の端縁に、上方に立ち上がるように連設された縦壁７によって形成されており、縦壁７のＹ方向の外側の端縁に、Ｘ方向の内側に延在する延設壁８が連設されている。
【０２６１】
そして、延設壁８の下部には、下方に突出する実装片８ａが形成されており、実装片８ａの先端（下端面）が回路基板１１０に実装されている。
【０２６２】
このように、図２１においては、一対の保持部側対向壁５１となる一対の縦壁７が、延設壁８を介して回路基板１１０にそれぞれ固定（実装）されている。すなわち、一対の保持部側対向壁５１は、回路基板１１０に固定される保持部側固定壁となっている。
【０２６３】
そして、一対の保持部側対向壁５１には、被覆体圧入部５１１、保持部側誘い込み部５１２（テーパ部７ｂ）および保持部側抜け止め部５１３（突部の下面７ｃ）が形成されている。
【０２６４】
また、図２１においても、縦壁７の上部には、上端がＸ方向の内側に位置するように傾斜させた傾斜部７ａが形成されており、この傾斜部７ａを、位置ずれした治具１２０を正規の位置に戻すガイド部５１４として機能させている。
【０２６５】
このようなコンタクト２を用いても、図１９に示すコンタクト２とほぼ同様の作用、効果を奏することができる。
【０２６６】
また、コンタクト２の形状は、図２２および図２３に示す形状とすることも可能である。
【０２６７】
図２２および図２３に示すコンタクト２も、図１９に示したコンタクト２と同様に、一部（先端側）の導体１０２を被覆体１０１から露出させた電線１００を、Ｚ方向に相対移動させることで、保持するものである。
【０２６８】
また、図２２および図２３に示すコンタクト２も、回路基板１１０上に載置される底壁３と、底壁３に連設された側壁６と、を備えている。そして、一対の接触部側対向壁４１が一対の側壁６（第１側壁６１）にそれぞれ連設されるとともに、一対の保持部側対向壁５１が側壁６（第２側壁６２）に連設されている。
【０２６９】
さらに、図２２および図２３においては、接触部側対向壁４１は、平面視における第１側壁６１とのなす角が鈍角となるように、第１側壁６１に連設されており、一対の接触部側対向壁４１，４１が、Ｙ方向に弾性変形可能な接触部側係止片となっている。
【０２７０】
そして、接触部側対向壁４１には、導体圧接部４１１、接触部側誘い込み部４１２および接触部側抜け止め部４１３が形成されている。
【０２７１】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０２７２】
また、一対の保持部側対向壁５１，５１のうち一方の保持部側対向壁５１は、平面視における第２側壁６２とのなす角が略直角となるように、第２側壁６２に連設されており、一方の保持部側対向壁５１が、Ｙ方向に弾性変形可能な保持部側係止片となっている。
【０２７３】
また、他方の保持部側対向壁５１は、第２側壁６２のＸ方向の他方側に、先端がＹ方向の内側を向くように連設された縦壁７によって形成されている。
【０２７４】
そして、縦壁７の下部には、下方に突出する実装片７ｄが形成されており、実装片７ｄの先端（下端面）が回路基板１１０に実装されている。
【０２７５】
このように、図２２および図２３においては、他方の保持部側対向壁５１となる縦壁７が、第２側壁６２を介して底壁３に連設されており、他方の保持部側対向壁５１に形成された実装片５１５（実装片７ｄ）の下端面が、回路基板１１０に固定（実装）されている。すなわち、他方の保持部側対向壁５１は、回路基板１１０に固定される保持部側固定壁となっている。
【０２７６】
そして、保持部側対向壁５１には、被覆体圧入部５１１、保持部側誘い込み部５１２（テーパ部７ｂ）および保持部側抜け止め部５１３（突部の下面７ｃ）が形成されている。
【０２７７】
また、図２２および図２３においても、縦壁７の上部には、上端がＸ方向の内側に位置するように傾斜させた傾斜部７ａが形成されており、この傾斜部７ａを、位置ずれした治具１２０を正規の位置に戻すガイド部５１４として機能させている。
【０２７８】
このようなコンタクト２を用いても、図１９に示すコンタクト２とほぼ同様の作用、効果を奏することができる。
【０２７９】
また、コンタクト２の形状は、図２４に示す形状とすることも可能である。
【０２８０】
図２４に示すコンタクト２も、図２２および図２３に示したコンタクト２と同様に、一部（先端側）の導体１０２を被覆体１０１から露出させた電線１００を、Ｚ方向に相対移動させることで、保持するものである。
【０２８１】
そして、図２４においては、一対の保持部側対向壁５１，５１の両方が、回路基板１１０に固定される保持部側固定壁となっており、この点が図２２および図２３に示すコンタクト２と主に異なる点である。
【０２８２】
このようなコンタクト２を用いても、図２２および図２３に示すコンタクト２とほぼ同様の作用、効果を奏することができる。
【０２８３】
また、コンタクト２の形状は、図２５に示す形状とすることも可能である。
【０２８４】
図２５に示すコンタクト２も、図２４に示したコンタクト２と同様に、一部（先端側）の導体１０２を被覆体１０１から露出させた電線１００を、Ｚ方向に相対移動させることで、保持するものである。
【０２８５】
そして、図２５においては、実装片５１５（実装片７ｄ）が縦壁７から第２側壁６２にかけて湾曲するように形成されており、この点が図２４に示すコンタクト２と主に異なる点である。
【０２８６】
このようなコンタクト２を用いても、図２４に示すコンタクト２とほぼ同様の作用、効果を奏することができる。
【０２８７】
また、実装片５１５（実装片７ｄ）を縦壁７から第２側壁６２にかけて湾曲するように形成すれば、縦壁７（保持部側固定壁）をより強固に回路基板１１０に固定することができるようになる。
【０２８８】
また、コンタクト２の形状は、図２６に示す形状とすることも可能である。
【０２８９】
図２６に示すコンタクト２も、図１６で示したコンタクト２と同様に、一部（先端側）の導体１０２を被覆体１０１から露出させた電線１００を、Ｚ方向に相対移動させることで、保持するものである。
【０２９０】
また、図２６に示すコンタクト２も、回路基板１１０上に載置される底壁３と、底壁３に連設された側壁６と、を備えている。
【０２９１】
そして、図２６に示すコンタクト２においては、一対の接触部側対向壁４１が一対の側壁６（第１側壁６１）にそれぞれ連設されており、一対の保持部側対向壁５１が一対の側壁６（第２側壁６２）にそれぞれ連設されている。
【０２９２】
具体的には、図２６においては、底壁３のＹ方向の両端には、第１側壁６１が上方に立ち上がるようにそれぞれ連設されており、この第１側壁６１のＸ方向の一方側に接触部側対向壁４１が連設されている。さらに、一対の接触部側対向壁４１，４１が、平面視で、先端側がＹ方向の内側に位置するように形成されている。このとき、接触部側対向壁４１は、平面視における第１側壁６１とのなす角が鈍角となるように形成されている。
【０２９３】
そして、図２６に示すコンタクト２においては、一対の接触部側対向壁４１，４１は、第１側壁６１のＸ方向の一方側にそれぞれＹ方向に弾性変形可能に連設されており、一対の接触部側対向壁４１，４１が、Ｙ方向に弾性変形可能な接触部側係止片となっている。
【０２９４】
こうすることで、先端が、Ｘ方向の一方側、かつ、Ｙ方向の内側に延在する一対の接触部側係止片によって電線１００が挟持されるようにしている。
【０２９５】
また、接触部側対向壁４１には、導体圧接部４１１、接触部側誘い込み部４１２および接触部側抜け止め部４１３が形成されている。
【０２９６】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０２９７】
さらに、図２６においては、底壁３のＹ方向の両端における第１側壁６１よりもＸ方向の他方側には、第２側壁６２が上方に立ち上がるようにそれぞれ連設されており、この第２側壁６２のＸ方向の他方側に保持部側対向壁５１が連設されている。さらに、一対の保持部側対向壁５１，５１は、平面視で、先端側がＹ方向の内側に位置するように形成されている。このとき、保持部側対向壁５１は、平面視における第２側壁６２とのなす角が鈍角となるように形成されている。
【０２９８】
そして、図２６に示すコンタクト２においては、一対の保持部側対向壁５１，５１の下部には、下方に突出する実装片５１５がそれぞれ形成されており、実装片５１５の先端（下端面）が回路基板１１０に実装されている。
【０２９９】
このように、図２６においては、一対の保持部側対向壁５１，５１に形成された実装片５１５，５１５の下端面が、回路基板１１０に固定（実装）されている。すなわち、一対の保持部側対向壁５１，５１は、回路基板１１０に固定される保持部側固定壁となっている。
【０３００】
また、保持部側対向壁５１には、被覆体圧入部５１１、保持部側誘い込み部５１２および保持部側抜け止め部５１３が形成されている。
【０３０１】
なお、Ｘ方向の他方側、かつ、Ｙ方向の内側に延在する一対の保持部側係止片の上部に設けたテーパ状の保持部側誘い込み部５１２は、位置ずれした治具１２０を正規の位置に戻すガイド部５１４として機能させることもできる。
【０３０２】
このようなコンタクト２を用いても、図１６に示すコンタクト２とほぼ同様の作用、効果を奏することができる。
【０３０３】
また、コンタクト２の形状は、図２７に示す形状とすることも可能である。
【０３０４】
図２７に示すコンタクト２も、図２６で示したコンタクト２と同様に、一部（先端側）の導体１０２を被覆体１０１から露出させた電線１００を、Ｚ方向に相対移動させることで、保持するものである。
【０３０５】
また、図２７に示すコンタクト２も、回路基板１１０上に載置される底壁３と、底壁３に連設された側壁６と、を備えている。
【０３０６】
そして、図２７に示すコンタクト２においては、一対の接触部側対向壁４１が一対の側壁６（第１側壁６１）にそれぞれ連設されており、一対の保持部側対向壁５１が一対の側壁６（第２側壁６２）にそれぞれ連設されている。
【０３０７】
具体的には、図２７においては、底壁３のＹ方向の両端には、第１側壁６１が上方に立ち上がるようにそれぞれ連設されており、この第１側壁６１のＸ方向の一方側に接触部側対向壁４１が連設されている。さらに、一対の接触部側対向壁４１，４１が、平面視で、先端側がＹ方向の内側に位置するように形成されている。このとき、接触部側対向壁４１は、平面視における第１側壁６１とのなす角が鈍角となるように形成されている。
【０３０８】
そして、図２７に示すコンタクト２においては、一対の接触部側対向壁４１，４１は、第１側壁６１のＸ方向の一方側にそれぞれＹ方向に弾性変形可能に連設されており、一対の接触部側対向壁４１，４１が、Ｙ方向に弾性変形可能な接触部側係止片となっている。
【０３０９】
こうすることで、先端が、Ｘ方向の一方側、かつ、Ｙ方向の内側に延在する一対の接触部側係止片によって電線１００が挟持されるようにしている。
【０３１０】
また、接触部側対向壁４１には、導体圧接部４１１、接触部側誘い込み部４１２および接触部側抜け止め部４１３が形成されている。
【０３１１】
なお、Ｘ方向の一方側、かつ、Ｙ方向の内側に延在する一対の接触部側係止片の上部に設けたテーパ状の接触部側誘い込み部４１２は、位置ずれした治具１２０を正規の位置に戻すガイド部４１４として機能させることもできる。
【０３１２】
さらに、図２７においては、底壁３のＹ方向の両端における第１側壁６１よりもＸ方向の他方側には、第２側壁６２が上方に立ち上がるようにそれぞれ連設されており、この第２側壁６２のＸ方向の他方側に保持部側対向壁５１が連設されている。さらに、一対の保持部側対向壁５１，５１は、平面視で、先端側がＹ方向の内側に位置するように形成されている。このとき、保持部側対向壁５１は、平面視における第２側壁６２とのなす角が鈍角となるように形成されている。
【０３１３】
一対の保持部側対向壁５１，５１は、第２側壁６２のＸ方向の他方側にそれぞれＹ方向に弾性変形可能に連設されており、一対の保持部側対向壁５１，５１が、Ｙ方向に弾性変形可能な保持部側係止片となっている。
【０３１４】
こうすることで、先端がＹ方向で対向する一対の保持部側係止片によって電線１００が挟持されるようにしている。
【０３１５】
また、保持部側対向壁５１には、被覆体圧入部５１１、保持部側誘い込み部５１２および保持部側抜け止め部５１３が形成されている。
【０３１６】
なお、Ｘ方向の他方側、かつ、Ｙ方向の内側に延在する一対の保持部側係止片の上部に設けたテーパ状の保持部側誘い込み部５１２は、位置ずれした治具１２０を正規の位置に戻すガイド部５１４として機能させることもできる。
【０３１７】
さらに、図２７に示すコンタクト２は、平面視で、導体接触部４および被覆体保持部５のうち少なくともいずれか一方の周辺に配置される保護部９を備えている。
【０３１８】
図２７においては、コンタクト２は、Ｚ方向（交差方向）に沿って視た状態で、接触部側対向壁４１の周辺に配置される保護部９と、保持部側対向壁５１の周辺に配置される保護部９と、を備えている。
【０３１９】
具体的には、接触部側対向壁４１の周辺の保護部９は、底壁３のＸ方向の一方側の端縁から上方に立ち上がるように連設された縦壁９１と、縦壁９１のＹ方向の外側の端縁に連設されてＸ方向の内側に延在する延設壁９２と、を備えている。そして、治具１２０を縦壁９１に接触させることで、接触部側対向壁４１が変形してしまうのを抑制できるようにしている。
【０３２０】
一方、保持部側対向壁５１の周辺の保護部９は、底壁３のＸ方向の他方側の端縁から上方に立ち上がるように連設された縦壁９１と、縦壁９１のＹ方向の外側の端縁に連設されてＸ方向の内側に延在する延設壁９２と、を備えている。そして、治具１２０を縦壁９１に接触させることで、保持部側対向壁５１が変形してしまうのを抑制できるようにしている。
【０３２１】
さらに、図２７では、２つの保護部９は、平面視で、コンタクト２の対角上に位置するように形成されている。
【０３２２】
具体的には、接触部側対向壁４１の周辺の縦壁９１は、接触部側対向壁４１よりもＸ方向の外側に配置されており、Ｘ方向に沿って視た状態で、Ｙ方向の一方側の接触部側対向壁４１と重なり合うように形成されている。
【０３２３】
また、保持部側対向壁５１の周辺の縦壁９１は、保持部側対向壁５１よりもＸ方向の外側に配置されており、Ｘ方向に沿って視た状態で、Ｙ方向の他方側の保持部側対向壁５１と重なり合うように形成されている。
【０３２４】
さらに、２つの縦壁９１は、それぞれ、上端がＸ方向の内側を向くように屈曲させた形状をしており、Ｘ方向の内側に屈曲させた部位を、位置ずれした治具１２０を正規の位置に戻すためのガイド部９１ａとして機能させている。
【０３２５】
また、２つの延設壁９２の下部には、下方に突出する実装片９２ａがそれぞれ形成されている。この実装片９２ａは、下端面が底壁３の裏面３ｂと略面一となるように形成されており、コンタクト２を回路基板１１０上に載置した際に、下端面および裏面３ｂが回路基板１１０の表面に接触するようにしている。こうすることで、延設壁９２の先端（下端面）が回路基板１１０に実装されるようにしている。
【０３２６】
このように、Ｙ方向に延在する縦壁９１とＸ方向に延在する延設壁９２とで、平面視で屈曲部を有する壁部を形成することで、Ｙ方向に延在する縦壁９１がＸ方向に倒れ込んでしまうことを抑制できるようにしている。すなわち、縦壁９１に加えられた力によって縦壁９１が塑性変形してしまうことを抑制できるようにしている。
【０３２７】
このようなコンタクト２を用いても、図２６に示すコンタクト２とほぼ同様の作用、効果を奏することができる。
【０３２８】
また、２つの保護部９をコンタクト２の対角上に配置させることで、コンタクト２が倒れてしまうことをより確実に抑制することができるようになる。
【０３２９】
なお、２つの保護部９をＹ方向のいずれか一方に配置させるようにしてもよい。
【０３３０】
また、コンタクト２の形状は、図２８に示す形状とすることも可能である。
【０３３１】
図２８に示すコンタクト２も、図２７で示したコンタクト２と同様に、一部（先端側）の導体１０２を被覆体１０１から露出させた電線１００を、Ｚ方向に相対移動させることで、保持するものである。
【０３３２】
そして、図２８においては、保護部９が、平面視で、コンタクト２の４隅（４箇所）に配置されており、この点が図２７に示すコンタクト２と主に異なる点である。
【０３３３】
このようなコンタクト２を用いても、図２７に示すコンタクト２とほぼ同様の作用、効果を奏することができる。
【０３３４】
なお、保護部９は、３箇所に配置されるようにしてもよいし、１箇所に配置されるようにしてもよい。
【０３３５】
以上、本開示の好適な実施形態について説明したが、本開示は上記実施形態およびその変形例には限定されず、種々の変形が可能である。
【０３３６】
例えば、コンタクト２の形状は、上記実施形態およびその変形例で示した特徴部分を適宜組み合わせた形状とすることが可能である。
【０３３７】
また、コンタクト２と被接続部材１１０との接続は、電線１００とコンタクト２とを接触させる前に行ってもよいし、電線１００とコンタクト２とを接触させた後に行ってもよい。
【０３３８】
また、上記実施形態およびその変形例では、コンタクト２を被接続部材１１０に面実装させるようにしたものを例示したが、コンタクト２と被接続部材１１０との接続は、様々な方法を用いて行うことができる。
【０３３９】
また、一対の接触部側対向壁４１，４１のうち少なくともいずれか一方を、回路基板１１０に固定される接触部側固定壁としてもよい。
【０３４０】
また、導体接触部の数や形状、配置方法等は、適宜に設定することができる。また、被覆体保持部の数や形状、配置方法等も適宜に設定可能である。
【０３４１】
また、電線や被接続部材、その他細部のスペック（形状、大きさ、レイアウト等）も適宜に変更可能である。
【符号の説明】
【０３４２】
１  コネクタ
２  コンタクト
３  底壁
３ｂ  裏面（被接続部材と対向する面：実装面）
４  導体接触部
４１  接触部側対向壁（接触部側係止片）
４１１  導体圧接部
４１２  接触部側誘い込み部
４１３  接触部側抜け止め部
４２  スリット（導体挿入空間）
４２ａ  開口部
５  被覆体保持部
５１  保持部側対向壁（保持部側係止片）
５１１  被覆体圧入部
５１２  保持部側誘い込み部
５１３  保持部側抜け止め部
５１４  ガイド部
５２  スリット（被覆体挿入空間）
５２ａ  開口部
６  側壁
７  縦壁（保持部側固定壁）
９  保護部
９１ａ  ガイド部
１００  電線
１０１  被覆体
１０２  導体
１１０  回路基板（被接続部材）
１２０  治具
１２２  押圧部
１２２ｂ  第１電線挟持部（第１電線保持部）
１２２ｃ  第２電線挟持部（第２電線保持部）
【図１】
2020013749.tif 000003
【図２】
2020013749.tif 000004
【図３】
2020013749.tif 000005
【図４】
2020013749.tif 000006
【図５】
2020013749.tif 000007
【図６】
2020013749.tif 000008
【図７】
2020013749.tif 000009
【図８】
2020013749.tif 000010
【図９】
2020013749.tif 000011
【図１０】
2020013749.tif 000012
【図１１】
2020013749.tif 000013
【図１２】
2020013749.tif 000014
【図１３】
2020013749.tif 000015
【図１４】
2020013749.tif 000016
【図１５】
2020013749.tif 000017
【図１６】
2020013749.tif 000018
【図１７】
2020013749.tif 000019
【図１８】
2020013749.tif 000020
【図１９】
2020013749.tif 000021
【図２０】
2020013749.tif 000022
【図２１】
2020013749.tif 000023
【図２２】
2020013749.tif 000024
【図２３】
2020013749.tif 000025
【図２４】
2020013749.tif 000026
【図２５】
2020013749.tif 000027
【図２６】
2020013749.tif 000028
【図２７】
2020013749.tif 000029
【図２８】
2020013749.tif 000030